(57)【要約】【課題】  打球する際の音と手応えが鳥類の羽根を使用した従来のシャトルに類似するバドミントン用シャトルの提供。【解決手段】  底平面を有するヘッド体と、前記底平面に固定されているプラスチック製羽根体とを備えたバドミントン用シャトルにおいて、前記ヘッド体は、前記底平面に複数の穴が周方向に沿って排列するように成形されており、前記羽根体は、それぞれの前記ヘッド体に臨む近端部が中空形に形成されている上、前記底平面に各穴に一本ずつ挿入されて固定されており、前記ヘッド体から離れた遠端部が前記底平面から遠ざかるように延伸している複数本の骨材と、前記複数本の骨材がそれぞれ有する前記遠端部から更に延伸する上、隣り合っている同士間が互いに連結するように形成されているスカート部とを有していることを特徴とするバドミントン用シャトルを提供する。【選択図】図１
0003164919.tif 000002
【実用新案登録請求の範囲】
【請求項１】
底平面を有するヘッド体と、前記底平面に固定されているプラスチック製羽根体とを備えたバドミントン用シャトルにおいて、
前記ヘッド体は、前記底平面に複数の穴が周方向に沿って排列するように成形されており、
前記羽根体は、それぞれの前記ヘッド体に臨む近端部が中空形に形成されている上、前記底平面に各穴に一本ずつ挿入されて固定されており、前記ヘッド体から離れた遠端部が前記底平面から遠ざかるように延伸している複数本の骨材と、前記複数本の骨材がそれぞれ有する前記遠端部から更に延伸する上、隣り合っている同士間が互いに連結するように形成されているスカート部とを有していることを特徴とするバドミントン用シャトル。
【請求項２】
前記ヘッド体全体は略半球形に形成されており、前記羽根体全体は略錐台形状の側面に沿うように形成されていることを特徴とする請求項１のバドミントン用シャトル。
【請求項３】
前記骨材の前記ヘッド体に臨む中空近端部以外の部分は、すべて中実であることを特徴とする請求項１のバドミントン用シャトル。
【請求項４】
前記ヘッド体は、前記略半球形を有するヘッド部と、前記底平面を有する減衰部とにより組み立てられたものであり、前記ヘッド部と前記減衰部とは、密度が異なる発泡材料により作成されたものであることを特徴とする請求項１のバドミントン用シャトル。
【請求項５】
前記ヘッド部の密度が前記減衰部より高くなっていることを特徴とする請求項４のバドミントン用シャトル。
【請求項６】
前記減衰部または前記ヘッド体の一方にはほぞ穴が形成され、他方にはほぞ体が形成されており、前記ほぞ穴に前記ほぞ体を嵌め込んで固定されていることを特徴とする請求項４のバドミントン用シャトル。
【請求項７】
前記スカート部は網状に形成されており、また、前記スカート部と前記ヘッド体との間に環形強化材が周方向に沿って前記複数本の骨材における中実部分を連結するように形成されていることを特徴とする請求項１のバドミントン用シャトル。
【考案の詳細な説明】
【技術分野】
【０００１】
本考案はバドミントン用シャトルに関し、特に、プラスチック製羽根体を使用したバドミントン用シャトルに関する。
【背景技術】
【０００２】
従来のバドミントン用シャトルには、通常、鳥類の羽根を使用したものと樹脂材を羽根体に作成して使用したものとの二種類があり、水鳥の羽根を使用したシャトルは通常より好ましく使用されているが、生き物から製造材料を採取するためコストを抑えることが難しく、動物保護の観点から見ても好ましくない上、破損しやすい欠点もある。
【０００３】
一方、例えば図７に示されているナイロン材を羽根体に作成して使用したバドミントン用シャトルは、ヘッド部１１と、ナイロン材により射出成形されたスカート部１２とからなり、スカート部１２の先端ブロック１２１をヘッド部１１の後端に挿し込む事によって作成されたものである。
【０００４】
このようなナイロン材を羽根体に作成して使用したバドミントン用シャトルは、コストが低く、そして使用寿命が格段に上がる利点があるものの、打球する際の音と手応えが鳥類の羽根を使用した従来のものと異なり、従来のものより劣ると考えられている。
【考案の概要】
【考案が解決しようとする課題】
【０００５】
本考案は、ナイロン材を羽根体に作成して使用したバドミントン用シャトルの問題点に鑑みてなされたもので、打球する際の音と手応えが鳥類の羽根を使用した従来のシャトルに類似するバドミントン用シャトルの提供を目的とする。
【課題を解決するための手段】
【０００６】
上記目的を達成すべく、本考案は底平面を有するヘッド体と、前記底平面に固定されているプラスチック製羽根体とを備えたバドミントン用シャトルにおいて、前記ヘッド体は、前記底平面に複数の穴が周方向に沿って排列するように成形されており、前記羽根体は、それぞれの前記ヘッド体に臨む近端部が中空形になっている上、前記底平面に各穴に一本ずつ挿入されて固定されており、前記ヘッド体から離れた遠端部が前記底平面から遠ざかるように延伸している複数本の骨材と、前記複数本の骨材がそれぞれ有する前記遠端部から更に延伸する上、隣り合っている同士間が互いに連結するようになっているスカート部とを有していることを特徴とするバドミントン用シャトルを提供する。
【０００７】
上記バドミントン用シャトルにおいて、前記ヘッド体全体は略半球形に形成されており、前記羽根体全体は略錐台形状の側面に沿うように形成されていることが好ましい。
【０００８】
上記バドミントン用シャトルにおいて、前記骨材の前記ヘッド体に臨む中空近端部以外の部分は、すべて中実に形成することができる。
【０００９】
上記バドミントン用シャトルにおいて、前記ヘッド体は、前記略半球形を有するヘッド部と、前記底平面を有する減衰部とにより組み立てられたものであり、前記ヘッド部と前記減衰部とは、密度が異なる発泡材料により作成されたものを使用することができる。
【００１０】
上記バドミントン用シャトルにおいて、前記ヘッド部の密度が前記減衰部より高くなっていることが好ましい。
【００１１】
上記バドミントン用シャトルにおいて、前記減衰部または前記ヘッド体の一方にはほぞ穴が形成され、他方にはほぞ体が形成されており、前記ほぞ穴に前記ほぞ体を嵌め込んで固定されていることが好ましい。
【００１２】
上記バドミントン用シャトルにおいて、前記スカート部は網状に形成されており、また、前記スカート部と前記ヘッド体との間に環形強化材が周方向に沿って前記複数本の骨材における中実部分を連結するように形成されていることが好ましい。
【考案の効果】
【００１３】
上記構成により、本考案のバドミントン用シャトルは、ヘッド体の底平面に複数の穴が周方向に沿って排列するように成形され、そして羽根体における複数本の骨材は、それぞれの前記ヘッド体に臨む近端部が中空形になっている上、前記底平面の各穴に一本ずつ挿入されて固定されているので、打球する際の音と手応えが鳥類の羽根を使用した従来のシャトルに類似するバドミントン用シャトルを提供することができる。
【図面の簡単な説明】
【００１４】
【図１】図１は本考案のバドミントン用シャトルの第１の実施形態の分解図である。
【図２】本考案のバドミントン用シャトルの第１の実施形態の側面及び一部断面図である。
【図３】本考案のバドミントン用シャトルの第１の実施形態の製造方法を示すフローチャートである。
【図４】本考案のバドミントン用シャトルの第２の実施形態の分解図である。
【図５】本考案のバドミントン用シャトルの第２の実施形態の側面及び一部断面図である。
【図６】本考案のバドミントン用シャトルにおけるヘッド体のもう一つの実施形態の断面図である。
【図７】従来のバドミントン用シャトルの構成を示す側面図である。
【考案を実施するための形態】
【００１５】
以下は図１〜図６を参照しながら、本考案のバドミントン用シャトルの各好ましい実施形態について説明する。  
図１は本考案のバドミントン用シャトルの第１の実施形態の分解図であり、図２は同実施形態の側面及び一部断面図であり、図３はその製造方法を示すフローチャートである。
【００１６】
図１、図２に示されているように、本考案のバドミントン用シャトルの第１の実施形態は、底平面２４を有するヘッド体２と、底平面２４に固定されているプラスチック製羽根体３とを備えたバドミントン用シャトルであり、そのうち、ヘッド体２は、底平面２４に１６個の穴２１が周方向に沿って排列するように成形されており、羽根体３は、それぞれのヘッド体２に臨む近端部３１１が中空形に形成されている上、底平面２４の各穴２１に一本ずつ挿入されて固定されており、前記ヘッド体から離れた遠端部３１２が底平面２４から遠ざかるように延伸している１６本の骨材３１と、各骨材３１がそれぞれ有する前記遠端部３１２から更に延伸する上、隣り合っている同士間が互いに連結するようになっているスカート部３２とを有している。
【００１７】
図面をもっと詳しくみると、ヘッド体２全体は略半球形に形成されており、羽根体３全体は略錐台形状の側面に沿うように形成されている。  
また、各骨材３１のヘッド体２に臨む中空近端部３１１以外の部分は、すべて中実に形成されている。
【００１８】
次に、図３に示されているように、本考案のバドミントン用シャトルの第１の実施形態は、まず射出成形により近端部３１１が中空形に形成されている１６本の骨材３１を作成し（ａ）、そして各骨材３１の遠端部３１２を共にスカート部３２に取り付けて（ｂ）から、各骨材３１の近端部３１１に接着剤を塗布して（ｃ）、それらをヘッド体２の底平面２４に形成された各穴２１に一本ずつ挿入固定して（ｄ）製品（ｅ）を作成することができる。
【００１９】
再度、図面を詳しくみると、この実施形態におけるスカート部３２は網状に形成されており、また、スカート部３２とヘッド体２との間には環形強化材３３、３４が周方向に沿って各骨材３１における中実部分を連結するように形成されている。
【００２０】
次に、図４は本考案のバドミントン用シャトルの第２の実施形態の分解図であり、図５は同実施形態の側面及び一部断面図である。  
図示されているように、本考案のバドミントン用シャトルの第２の実施形態は第１の実施形態と類似している構成になっており、以下はその相違点について説明する。
【００２１】
本考案のバドミントン用シャトルの第２の実施形態は、ヘッド体２の構成が第１の実施形態の構成と少々異なっており、即ち、第１の実施形態におけるヘッド体２のように略半球形に形成されものだけでなく、略半球形に形成されたヘッド部２２と、円盤形であって底平面２４を有する減衰部２３とを接着して組み立てられたものである上、ヘッド部２２と減衰部２３とは、密度が異なる発泡材料により作成されたものである。また、通常は、ヘッド部２２の密度は減衰部２３より高くなっていることが好ましい。
【００２２】
また、底平面２４に開口を有する各穴２１は、減衰部２３を挿通してヘッド部２２まで延伸するようになっている。
【００２３】
次に、図６ではヘッド体２のもう一つの実施形態の断面図が示されており、この実施形態におけるヘッド体２２には、ほぞ穴２２１が形成され、減衰部２３には、ほぞ体２３１が形成されており、前記ほぞ穴２２１に前記ほぞ体２３１を嵌め込んで固定されている。なお、ヘッド体２２にほぞ体が形成され、減衰部２３にほぞ穴が形成されるように構成されても良い。
【符号の説明】
【００２４】
２…ヘッド体、２１…穴、２２…ヘッド部、２２１…ほぞ穴、２３…減衰部、２３１…ほぞ体、２４…底平面、３…羽根体、３１…骨材、３１１…近端部、３１２…遠端部、３２…スカート部、３３、３４…環形強化材。
【図１】
0003164919.tif 000003
【図２】
0003164919.tif 000004
【図３】
0003164919.tif 000005
【図４】
0003164919.tif 000006
【図５】
0003164919.tif 000007
【図６】
0003164919.tif 000008
【図７】
0003164919.tif 000009